(57)【要約】    【課題】  ヘッド重心を深くかつ低くでき、さらに、スイートスポットを、トウ・ヒール方向において、スコアラインの中央位置に近づける。    【解決手段】  ホーゼル６、フェース、ソール４及びソール４のトレーリングエッジＴｅから上方に立ち上がるバック部９を有するヘッド本体１０と、ヘッド本体１０よりも大きい比重を有する重量物２０とを含むアイアン型ゴルフクラブヘッド１である。フェースは、トウ・ヒール方向にのびる複数本のスコアラインを具えている。重量物２０は、ソール４に配置されている。重量物２０は、前記スコアラインの中央位置ＦＣを横切ってトウ・ヒール方向にのびている。重量物２０は、さらに、ソール４とバック部９とに跨って配置されたトウ側の第１部分２１と、ソール４のみに配置されたヒール側の第２部分２２とを一体に具えている。【選択図】  図２
2018000471.tif 000002
【特許請求の範囲】
【請求項１】
ホーゼル、フェース、ソール及び前記ソールのトレーリングエッジから上方に立ち上がるバック部を有するヘッド本体と、前記ヘッド本体よりも大きい比重を有する重量物とを含むアイアン型ゴルフクラブヘッドであって、
前記フェースは、トウ・ヒール方向にのびる複数本のスコアラインを具えており、
前記重量物は、前記ソールに配置されており、
前記重量物は、前記スコアラインの中央位置を横切ってトウ・ヒール方向にのびており、
前記重量物は、前記ソールと前記バック部とに跨って配置されたトウ側の第１部分と、前記ソールのみに配置されたヒール側の第２部分とを一体に具えていることを特徴とするアイアン型ゴルフクラブヘッド。
【請求項２】
前記重量物は、ヒール側からトウ側に向かって幅が漸増するベースプレート部と、前記ベースプレート部のトウ側で上向きにのびる立上り部とを有し、
前記ベースプレートは、前記ソールの一部を形成し、前記立上り部は、前記バック部の一部を形成する請求項１記載のアイアン型ゴルフクラブヘッド。
【請求項３】
前記立上り部の厚さは、前記ベースプレート部の厚さよりも大きい請求項２記載のアイアン型ゴルフクラブヘッド。
【請求項４】
ヘッド背面視において、前記立上り部は、滑らかに上に凸となる山型の輪郭形状を有し、
前記山型の輪郭形状の最も高い位置は、前記スコアラインの中央位置よりもトウ側に位置している請求項２又は３記載のアイアン型ゴルフクラブヘッド。
【請求項５】
前記第１部分と前記第２部分との境界部は、前記スコアラインの中央位置よりもヒール側に位置している請求項１乃至４のいずれかに記載のアイアン型ゴルフクラブヘッド。
【発明の詳細な説明】
【技術分野】
【０００１】
本発明は、ヘッド本体と重量物とを含むアイアン型ゴルフクラブヘッドに関し、より詳しくは、ヘッド重心を深くかつ低くでき、さらに、スイートスポットをスコアラインの中央位置に近づけることが可能なアイアン型ゴルフクラブヘッドに関する。
【背景技術】
【０００２】
下記特許文献１及び２には、アイアン型ゴルフクラブヘッドが記載されている。これらのアイアン型ゴルフクラブヘッドは、ホーゼル、フェース、ソール及びバック部を有するヘッド本体と、ヘッド本体よりも大きい比重を有する重量物とを含んでいる。重量物は、ソール側において、トウ側及びヒール側にそれぞれ配置されている。このようなアイアン型ゴルフクラブヘッドは、低い重心と大きな慣性モーメントを具える。
【先行技術文献】
【特許文献】
【０００３】
【特許文献１】特許第５８２４５９１号公報
【特許文献２】米国特許出願公開第２０１５／０２９７９５８号明細書
【発明の概要】
【発明が解決しようとする課題】
【０００４】
一般に、アイアン型ゴルフクラブヘッドのヒール側には、シャフトを支持するためのホーゼル部が設けられており、それは、比較的大きな質量を持つ。このため、アイアン型ゴルフクラブヘッドのヘッド重心は、トウ・ヒール方向に延びるスコアラインの中央位置よりもヒール側に位置する。換言すれば、スイートスポットも、このスコアラインの中央位置よりもヒール側に位置する。ここで、「スコアラインの中央位置」とは、トウ・ヒール方向の位置を特定するもので、フェースに設けられたトウ・ヒール方向に延びる複数のスコアラインのうち、最も長いもののトウ・ヒール方向の中央位置を意味する。また、「スイートスポット」は、ヘッド重心からフェースに下ろした垂線がフェースに交差する点であり、ボール打撃位置が、このスイートスポットに近いほど、高い反発性が得られる。
【０００５】
通常、ゴルファは、視覚的に分かりやすいスコアラインの中央位置でボールを打撃しようと試みる。しかしながら、上述の通り、アイアン型ゴルフクラブヘッドでは、ボールが最もよく飛ぶ打撃位置であるスイートスポットが、スコアラインの中央位置よりもヒール側に位置する。そのため、ゴルファがスコアラインの中央位置でボールを打撃すると、ボール打撃位置がトウ・ヒール方向においてスイートスポットからずれた位置となる。
上述の通り、ボール打撃位置がスイートスポットに近いほど高い反発性が得られる。従って、当然、トウ・ヒール方向だけで見ても、打撃位置がスイートスポットに近いほど高い反発性が得られる。このため、従来のアイアン型ゴルフクラブヘッドは、ゴルファの通常の打撃位置となるスコアラインの中央位置において、打球の飛距離を効果的に増大させることができない傾向があった。
【０００６】
本発明は、以上のような問題点に鑑み案出なされたもので、重心を深くかつ低くでき、さらに、スイートスポットを、トウ・ヒール方向において、スコアラインの中央位置により近づけることが可能なアイアン型ゴルフクラブヘッドを提供することを主たる課題としている。
【課題を解決するための手段】
【０００７】
本発明は、ホーゼル、フェース、ソール及び前記ソールのトレーリングエッジから上方に立ち上がるバック部を有するヘッド本体と、前記ヘッド本体よりも大きい比重を有する重量物とを含むアイアン型ゴルフクラブヘッドであって、前記フェースは、トウ・ヒール方向にのびる複数本のスコアラインを具えており、前記重量物は、前記ソールに配置されており、前記重量物は、前記スコアラインの中央位置を横切ってトウ・ヒール方向にのびており、前記重量物は、前記ソールと前記バック部とに跨って配置されたトウ側の第１部分と、前記ソールのみに配置されたヒール側の第２部分とを一体に具えていることを特徴とする。
【０００８】
本発明の他の態様では、前記重量物は、ヒール側からトウ側に向かって幅が漸増するベースプレート部と、前記ベースプレート部のトウ側で上向きにのびる立上り部とを有し、前記ベースプレートは、前記ソールの一部を形成し、前記立上り部は、前記バック部の一部を形成することができる。
【０００９】
本発明の他の態様では、前記立上り部の厚さは、前記ベースプレート部の厚さよりも大きくても良い。
【００１０】
本発明の他の態様では、ヘッド背面視において、前記立上り部は、滑らかに上に凸となる山型の輪郭形状を有し、前記山型の輪郭形状の最も高い位置は、前記スコアラインの中央位置よりもトウ側に位置することができる。
【００１１】
本発明の他の態様では、前記第１部分と前記第２部分との境界部は、前記スコアラインの中央位置よりもヒール側に位置することができる。
【発明の効果】
【００１２】
本発明によれば、ホーゼル、フェース、ソール及び前記ソールのトレーリングエッジから上方に立ち上がるバック部を有するヘッド本体と、前記ヘッド本体よりも大きい比重を有する重量物とを含むアイアン型ゴルフクラブヘッドが提供される。重量物は、ソール側に配置されており、かつ、スコアラインの中央位置を横切ってトウ・ヒール方向にのびている。また、重量物は、ソールとバック部とに跨って配置されたトウ側の第１部分と、ソールのみに配置されたヒール側の第２部分とを一体に具えている。
【００１３】
以上の構成により、本発明のアイアン型ゴルフクラブヘッドは、低い重心を提供することができる。低い重心は、スイートスポットの位置を下げ、ひいては、ボール打撃時のフェースの打ち出し角の低下を抑制することができる。これは、打撃されたボールの飛距離を増大させるのに役立つ。
【００１４】
重量物の第１部分は、ソールのみならずバック部にも配置されることで、ヘッド後方に重量を配分し、大きな重心深度を提供することができる。ここで、重心深度は、フェースからヘッド重心までのフェースと垂直方向に測定される距離として定義される。大きな重心深度は、ヘッド重心を通りかつトウ・ヒール方向にのびる水平軸線周りの慣性モーメント（以下、「上下の慣性モーメント」ということがある。）を高める。このようなアイアン型ゴルフクラブヘッドは、ボール打撃位置がフェース上で上下にばらついた場合でも、ボールの打ち出し角度を安定させ、ひいてはフェース上の高反発打撃位置を拡大することができる。
【００１５】
第２部分は、ヒール側において、ソールのみに配置され、バック部には配置されていない。このため、本発明のアイアン型ゴルフクラブヘッドは、ヘッド重心がヒール側に寄ることを防ぐ。これは、スイートスポットが、ゴルファの通常の打撃位置となるスコアラインの中央位置からさらに遠ざかるのを防ぐことができる。
【００１６】
以上のように、本発明のアイアン型ゴルフクラブヘッドは、ヘッド重心を深くかつ低くでき、さらに、スイートスポットを、トウ・ヒール方向において、スコアラインの中央位置により近づけることが可能である。
【図面の簡単な説明】
【００１７】
【図１】本発明の一実施形態のアイアン型ゴルフクラブヘッドの正面図である。
【図２】図１のアイアン型ゴルフクラブヘッドの背面図である。
【図３】アイアン型ゴルフクラブヘッドの底面図である。
【図４】（Ａ）〜（Ｃ）は、図２のアイアン型ゴルフクラブヘッドのＡ−Ａ線、Ｂ−Ｂ線及びＣ−Ｃ線の各位置の基準状態の断面図である。
【図５】本実施形態のアイアン型ゴルフクラブヘッドの正面側から見た分解斜視図である。
【図６】本実施形態のアイアン型ゴルフクラブヘッドのソール側から見た分解斜視図である。
【図７】図４（Ｂ）の要部拡大図である。
【図８】（Ａ）及び（Ｂ）は、重量物の斜視図である。
【図９】本発明の他の実施形態を示すアイアン型ゴルフクラブヘッドの正面側から見た分解斜視図である。
【図１０】本発明の他の実施形態を示すアイアン型ゴルフクラブヘッドのソール側から見た分解斜視図である。
【図１１】本発明の他の実施形態のアイアン型ゴルフクラブヘッドの要部断面図であり、図２のＢ−Ｂ線の位置に相当している。
【図１２】ヘッド本体にインサートを固定した状態を示す底面図である。
【図１３】図１２のＩ−Ｉ線断面図である。
【図１４】ゴルフクラブヘッドの基準状態を説明するためのゴルフクラブヘッドの概略斜視図である。
【発明を実施するための形態】
【００１８】
以下、本発明の実施の一形態（第１実施形態）が図面に基づき説明される。
図１〜３は、本実施形態のアイアン型ゴルフクラブヘッド（以下、単に「ヘッド」又は「ゴルフクラブヘッド」ということがある。）１の正面図、背面図及び底面図をそれぞれ示している。図４（Ａ）〜（Ｃ）は、図２のＡ−Ａ線、Ｂ−Ｂ線及びＣ−Ｃ線の各位置での基準状態の断面図をそれぞれ示している。図５及び図６は、図１のヘッド１の分解斜視図が示されている。
【００１９】
本明細書において、ゴルフクラブヘッド１の「基準状態」とは、図１４に概念的に示されるように、フェース２に形成されたスコアライン７と水平面ＨＰとが平行とされた状態で、ヘッド１が水平面ＨＰ上に載置された状態である。この基準状態では、ヘッド１のシャフト差込穴８の中心軸線Ｚ（クラブシャフトの軸線）が基準垂直面ＶＰ内に配されている。基準垂直面ＶＰは、水平面ＨＰに対して垂直な平面である。この基準状態において、スコアライン７は、水平面ＨＰに平行であり、かつ、基準垂直面ＶＰに平行である。
【００２０】
図１及び図２において、ゴルフクラブヘッド１は、基準状態にあるヘッド１を基準水平軸（水平面ＨＰ及び基準垂直面ＶＰに平行な軸）周りに回転させ、基準垂直面ＶＰにフェース２が平行になるように、ヘッド１を基準状態から前に傾けた状態とされている。以下、この状態を「前傾状態」と呼ぶ。一方、図３及び図４では、ヘッド１は、基準状態とされている。特に言及されていない場合、ゴルフクラブヘッド１は、基準状態に置かれているものとして、各部の構成が説明されていることが理解されなければならない。
【００２１】
ここで、ゴルフクラブヘッド１の前側は、図１４に示されるように、ボールを打撃するフェース２の側を意味し、ゴルフクラブヘッド１の後側は、その反対側を意味する。ゴルフ業界の慣習に鑑み、ゴルフクラブヘッドの「後」及び「後面」は、「背」及び「背面」とそれぞれ呼ばれることがある。
【００２２】
図１〜６に示されるように、本実施形態のゴルフクラブヘッド１は、典型的なアイアン型の形状を有し、フェース２、トップ３、ソール４、トウ５、ホーゼル６及びバック部９を含んでいる。
【００２３】
フェース２は、ボールを打撃する実質的に平坦な面である。フェース２には、ボールとの摩擦を高めるために、複数本のスコアライン７が設けられている。このスコアライン７はヘッド１のトウ・ヒール方向に延び、互いに平行に延びている。
【００２４】
トップ３は、フェース２の上縁から後方にのびているヘッド１の上面部分である。ゴルフクラブヘッド１の「上側」及び「下側」は、基準状態での「上側」及び「下側」である。ゴルフ業界の慣習に鑑み、ゴルフクラブヘッドの「下面」は、「底面」、「ソール」又は「ソール面」と呼ばれることもある。
【００２５】
ソール４は、リーディングエッジＬｅとトレーリングエッジＴｅで挟まれた部分とされる。
【００２６】
リーディングエッジＬｅとは、ヘッド横断面（前記基準垂直面ＶＰ及び前記水平面ＨＰにともに直交する横断面であり、以下同様である。）において、フェース２と、ソール４とが交差する部分である。
【００２７】
トレーリングエッジＴｅとは、前記ヘッド横断面において、ソール４とバック部９とが交差する位置である。外観上、この位置が明瞭なエッジによって識別しうる場合には、トレーリングエッジＴｅは当該エッジとされる。一方、上記位置が外観上明瞭ではない場合には、ソール４の曲率半径をリーディングエッジＬｅ側からヘッド後方に向かって測定し、前記曲率半径が初めて１５mm以下となる位置をトレーリングエッジＴｅとして定め得る。
【００２８】
トウ５は、ホーゼル６から最も離れた部分であり、トップ３とソール４との間を滑らかに接続している。
【００２９】
ホーゼル６は、クラブシャフト（図示省略）が連結されるためのシャフト差込穴８を有する部分であり、例えば、筒状に構成されている。シャフト差込穴８の中心軸線Ｚは、クラブシャフト（図示省略）がそこに固着されたときに、クラブシャフトの軸線に本質的に一致する。
【００３０】
本実施形態のゴルフクラブヘッド１は、図４〜図６に良く表わされるように、ヘッド本体１０及び重量物２０を含んで構成されている。
【００３１】
ヘッド本体１０は、ゴルフクラブヘッド１の主要部を構成するもので、本実施形態では、フェース２、トップ３、ソール４、トウ５、ホーゼル６及びバック部９を含んでいる。ヘッド本体１０は、例えば、金属材料で構成されている。
【００３２】
好ましい態様として、図５に示されるように、ヘッド本体は、フェースプレート１２と、フェース受け部１４とを含む。本実施形態では、フェースプレート１２及びフェース受け部１４とは、互いに異なる金属材料で構成されている。
【００３３】
フェースプレート１２は、例えば、ゴルフクラブヘッド１を構成する金属材料の中で最も小さい比重を有する金属材料で構成されている。特に好ましい態様では、フェースプレート１２には、比重が４．５以下の比強度に優れたチタン合金が採用され得る。これにより、ヘッド重心は、より後方にかつより下方に位置することが可能である。
【００３４】
フェース受け部１４は、トップ３、ソール４及びトウ５で囲まれた前後に貫通する開口部Ｏを有している。フェース受け部１４は、開口部Ｏの周りに、フェースプレート１２の周縁部が固着されるフェース取付部１６が設けられている。フェース取付部１６にフェースプレート１２が固着されることにより、開口部Ｏは閉じられる。フェースプレート１２とフェース受け部１４とは、例えば、溶接、ろう付け、接着剤又はカシメ等の接合手段によって一体に固着される。フェース受け部１４は、さらに、ホーゼル６を一体に具えている。
【００３５】
好ましい態様では、フェース受け部１４は、基本的な強度と良好な加工性などを具えている鉄基合金が採用され、好ましくはステンレス又は炭素鋼などが用いられる。これらの比重は、７．０を超えるもので、好ましくは、７．５以上とされる。このように、フェース受け部１４が、フェースプレート１２よりも高い比重の金属材料で構成された場合、ヘッド重心は、より後方にかつより下方に位置することが可能である。代替的に、本発明の他の態様では、ヘッド本体１０は、１種類又は３種類以上の材料で構成されても良い。
【００３６】
１種類の材料で構成されたヘッド本体１０は、典型的には、フェースプレート１２とフェース受け部１４とが別部材ではなく、これらが一体的に一つの部材で作られた１ピース構造のヘッド本体１０である。他の例として、ヘッド本体１０は、例えば、同一の材料からなるフェースプレート１２及びフェース受け部１４が一体に固着されたマルチピース構造であっても良い。また、３種類以上の材料で構成されたヘッド本体１０としては、例えば、フェース受け部１４を２以上の部材で構成し、フェースプレート１２と一体に固着したマルチピース構造が挙げられる。この場合、３種類以上の材料を用いて、フェースプレート１２及びフェース受け部１４を構成する各部材が、互いに異なる材料で形成される。
【００３７】
図４及び図６に示されるように、ヘッド本体１０には、例えば、ヘッド仕上がり形状の外面から凹んだ凹部１８が設けられている。凹部１８は、例えば、底壁１８ａと、底壁１８ａを囲むように配された周囲壁１８ｂとで囲まれた窪んだ空間を提供する。本実施形態では、凹部１８に上述の重量物２０が配置されることにより、ヘッド１の仕上がり形状が得られる。
【００３８】
凹部１８は、例えば、フェース２以外の位置に設けることが望ましい。フェース２の一部がフェースプレート１２で構成されている場合、凹部１８は、フェースプレート１２以外に設けられる。本実施形態の凹部１８は、ソール４（より詳しくは、フェース受け部１４のソール）に設けられており、トウ・ヒール方向に長くのびている。
【００３９】
図５及び図６に示されるように、重量物２０は、ソール４に設けられた凹部１８に配置されている。つまり、重量物２０は、ソール４に配置され、かつ、トウ・ヒール方向にのびている。重量物２０は、ヘッド本体１０よりも大きい比重を有する金属材料で形成されている。従って、重量物２０は、ヘッド重心の位置に大きな影響を与え、重量物２０の重心位置に、ヘッド重心を近づけることが可能である。本実施形態では、重量物２０がソール４に露出するように配置されている。このような構成は、より低いヘッド重心を提供するのに役立つ。
【００４０】
なお、ヘッド本体１０が１種類の材料から構成されている場合、ヘッド本体１０の比重は、当該材料の比重を意味する。一方、ヘッド本体１０が比重の異なる複数の材料を組み合わせて構成されている場合、ヘッド本体１０の比重は、各材料の比重を、各材料が構成している部材の体積で重み付けした加重平均値として特定される。
【００４１】
特に好ましい態様では、重量物２０は、Ｗ、Ｎｉ及びＦｅを含むタングステン・ニッケル・鉄合金で構成され得る。上記合金は、例えば、その化学成分中、Ｆｅに対するＷの割合を高めることによって、より大きな比重を得ることができる。一方、上記合金は、Ｗの増加によって相対的にＦｅの割合が低下するので、軟鉄やステンレス等の鉄基合金に対する溶接性が低下する。
【００４２】
本実施形態の重量物２０には、ヘッド本体１０と溶接可能な範囲で、Ｗの割合を高めて高比重化された上記合金が用いられている。より好ましい態様では、重量物２０の比重は、８．０〜１０．０の範囲とされる。図７には、図４（Ｂ）の拡大図が示されている。図７に示されるように、重量物２０の周縁は、ヘッド本体１０（即ち、この例では、凹部１８）と溶接固着されている。接合強度を高めるために、重量物２０の全周縁が、ヘッド本体１０と溶接されているのが望ましい。図７において、溶接ビードが符号４０で表されている。
【００４３】
図２及び図３に示されるように、重量物２０は、スコアラインの中央位置ＦＣを横切ってトウ・ヒール方向にのびている。上述のように、スコアラインの中央位置ＦＣは、トウ・ヒール方向の位置を特定するもので、図１に示されるように、フェース２に設けられた複数本のスコアライン７のうち、最も長いもののトウ・ヒール方向の中央位置を意味している。
【００４４】
以上のように構成された重量物２０は、ヘッド１の底部のみならず、ヘッド１のトウ側及びヒール側にも重量を配分することができる。従って、本実施形態のヘッド１は、低いヘッド重心と、ヘッド重心を通る垂直軸の周りの高い慣性モーメント（以下、単に「左右の慣性モーメント」ということがある。）を提供することができる。
【００４５】
図２を参照すると、重量物２０は、トウ側の第１部分２１と、ヒール側の第２部分２２とを一体に含んでいる。
【００４６】
第１部分２１は、ソール４とバック部９とに跨って配置されている。第１部分２１は、バック部９にも配置されることで、ヘッド後方に重量を配分し、大きな重心深度を提供する。大きな重心深度は、ヘッド１の上下の慣性モーメントを高める。このようなヘッド１は、ボール打点位置がスイートスポットに対して、フェース２の上下にばらついた場合でも、打撃されたボールの打ち出し角度を安定させ、ひいてはフェース２上の高反発打撃位置を拡大することができる。本実施形態の第１部分は、バック部９においてヘッド外面に露出するように配置されているので、重量をよりヘッド後方に配置することができる。
【００４７】
一方、第２部分２２は、ソール４のみに配置されており、バック部９には配置されていない。換言すれば、第２部分２２は、トレーリングエッジＴｅをヘッド上方に超えないように配置され、第１部分２１に比してより小型化されている。このため、本実施形態のヘッド１は、ヒール側への重量配分がより少なくなり、ヘッド重心がヒール側に寄ることを防ぐ。これは、スイートスポットが、トウ・ヒール方向において、スコアラインの中央位置ＦＣからさらにヒール側に遠ざかるのを防ぐことができる。このようなヘッド１は、ゴルファの通常の打撃位置となるスコアライン７の中央位置での反発特性の低下を抑制し、打球の飛距離の低下を抑制することができる。
【００４８】
図８（Ａ）及び（Ｂ）には、重量物２０の斜視図が示されている。重量物２０は、ベースプレート部２４と、立上り部２５とを一体に具えている。
【００４９】
ベースプレート部２４は、ヒール側からトウ側に向かって幅Ｗが漸増しており、例えば、平面視において、略台形状又は略三角形状に形成されている。ベースプレート部２４は、重量物２０がヘッド本体１０に固着されたときに、ソール４の一部を構成する。本実施形態のベースプレート部２４の構成は、ヒール側の重量をより減らす一方、トウ側への重量をより増大させることができ、効果的な重量配分を提供する。これは、ヘッド重心をトウ側に寄せるのに特に有効である。
【００５０】
ベースプレート部２４の厚さｔ１は、例えば、一定でも良く、また変化するものでも良い。ヘッド後方に重量を配分し、大きな重心深度を提供するために、ベースプレート部２４の厚さｔ１は、ヘッド後方に向かって大きくなることが望ましい。ベースプレート部２４の厚さｔ１は、好ましくは１．０〜４．０mmの範囲で設定されるのが望ましい。
【００５１】
立上り部２５は、ベースプレート部２４のトウ側かつバック部側で上向きにのびている。この立上り部２５は、重量物２０がヘッド本体１０に固着されたときに、バック部９の一部を形成する。立上り部２５は、ヘッド後方に重量を配分し、大きな重心深度を提供するために、十分な厚さｔ２を有する。特に好ましい態様では、立上り部２５の厚さｔ２は、ベースプレート部２４の厚さｔ１よりも大きいことが望ましい。
【００５２】
図８（Ａ）及び（Ｂ）に示されるように、本実施形態の立上り部２５は、ヘッド背面視において、高さｈを有しており、この高さｈは、滑らかに上に凸となるような山型の輪郭形状２５ｅを描くように変化している。
【００５３】
好ましい態様では、図２に示されるように、ヘッド背面視において、立上り部２５の輪郭形状２５ｅの最も高い位置Ｐは、スコアラインの中央位置ＦＣよりもトウ側に位置している。なお、図２は、ヘッド１の前傾状態であり、基準状態とは異なるが、輪郭形状２５ｅの最も高い位置Ｐとスコアラインの中央位置ＦＣとの相対的な位置関係は、基準状態においても、図２と同様の関係が維持される。このような態様によれば、立上り部２５の重心をスコアラインの中央位置ＦＣよりもトウ側に位置させ、ひいては、ヘッド重心をよりスコアラインの中央位置ＦＣに近づけることができる。上述の作用をより確実に発揮させるために、立上り部２５の輪郭形状２５ｅの最も高い位置Ｐとスコアラインの中央位置ＦＣとのトウ・ヒール方向の距離Ｌ１は、好ましくは０．５〜１５mmとされる。
【００５４】
重量物２０は、第１部分２１と、第２部分２２との境界部分２３を有する。境界部分２３は、例えば、スコアラインの中央位置ＦＣよりもヒール側に位置している。換言すれば、第１部分２１は、スコアラインの中央位置ＦＣを横切ってトウ・ヒール方向にのびている。このような態様では、第１部分２１が、トウ・ヒール方向により広い範囲で形成され、より大きな重心深度を提供することができる。一方、境界部分２３が、スコアラインの中央位置ＦＣに対してよりヒール側に位置すると、スイートスポットがスコアラインの中央位置ＦＣからヒール側に遠ざかるおそれがある。このような観点より、ヘッド背面視において、境界部分２３とスコアラインの中央位置ＦＣとのトウ・ヒール方向の距離Ｌ２は、好ましくは５〜１８mmとされる。
【００５５】
本実施形態のヘッド１では、上述の構成を採用することにより、例えば、１４〜２０mmという重心高さ（基準状態において、水平面からヘッド重心までの高さ）と、４．０〜１０mmの重心深度とを両立することができる。加えて、本実施形態のヘッド１は、スコアラインの中央位置ＦＣとスイートスポットとの間のトウ・ヒール方向の距離を１０mm以下、より好ましくは8mm以下とすることができる。
【００５６】
次に、本発明の他の実施形態（第２実施形態）が図９〜図１３に基づき説明される。第２実施形態において、第１実施形態で用いられた要素と同じ又は共通する要素には、同一の符号が付されており、その詳細な説明が省略されている点に注意されたい。
【００５７】
図９及び図１０は、この実施形態のヘッド１の分解斜視図が示されている。本実施形態では、ヘッド１が、ヘッド本体１０と重量物２０とを含む点では上記実施形態と同様であるが、さらに、インサート３０を含んでいる点で異なっている。インサート３０は、ヘッド本体１０と重量物２０との間で挟まれるようにヘッド内部に配置されている。
【００５８】
インサート３０は、例えば、凹部１８と同様、トウ・ヒール方向に沿って長くのびている。本実施形態では、インサート３０は、凹部１８の中に配置可能な形状に構成されている。好ましい態様では、インサート３０は、凹部１８の底壁１８ａ及び周囲壁１８ｂに、少なくとも一部で当接している。これは、インサート３０のトウ・ヒール方向、前後方向又は上方への移動を妨げ、例えば、ボール打撃時の衝撃に伴うインサート３０の振動に起因した異音の発生を抑制するのに役立つ。
【００５９】
インサート３０も、ヘッド重心を調整しうる材料であり、ヘッド本体１０及び重量物２０とは異なる比重を有するのが望ましい。好ましい態様では、インサート３０は、重量物２０よりもさらに高い比重を有する材料で構成され得る。このようなインサート３０は、ヘッド重心の位置に大きな影響を与え、インサート３０の重心位置に、ヘッド重心を近づけることが可能である。従って、本実施形態のヘッド１は、よりソール４側にヘッド重心を近づけることができる。
【００６０】
特に好ましい態様では、インサート３０も、Ｗ、Ｎｉ及びＦｅを含むタングステン・ニッケル・鉄合金で構成され得る。インサート３０の比重は、特に限定されるものではないが、好ましくは１０．０以上、より好ましくは１２．０以上の範囲とされる。また、インサート３０の比重は、上記のいずれかの下限値との組み合わせにおいて、好ましくは１８．５以下の範囲とされる。本実施形態のインサート３０には、ヘッド本体１０と溶接できない程度までＷの割合を高めて高比重化された上記合金が用いられている。
【００６１】
図１１には、図２のＢ−Ｂ線の位置に相当するこの実施形態のヘッド１の拡大断面図が示されている。図９〜図１１に示されるように、ヘッド本体１０には、ヘッド外方に突出する凸部１９が形成されている。本実施形態において、凸部１９は、凹部１８に設けられており、例えば、凹部１８の底壁１８ａに形成されている。本実施形態において、凸部１９は、例えば、略円柱状に形成されているが、このような態様に限定されるものではない。
【００６２】
一方、インサート３０には、貫通孔３２が形成されている。そして、インサート３０は、貫通孔３２にヘッド本体１０の凸部１９が位置するように、ヘッド本体１０の外側に配置されている。この実施形態では、貫通孔３２の内部に凸部１９が位置するように、インサート３０が凹部１８内に配置されている。インサート３０は、凹部１８の壁面との接触のみならず、その貫通孔３２が凸部１９と係合する。従って、本実施形態のヘッド１は、ヘッド本体１０に対するインサート３０（これは、ヘッド本体１０に溶接できない）の振動がより一層抑えられ、インサート３０の振動に起因する異音の発生を抑制する。
【００６３】
図１１に示されるように、本実施形態のヘッド１は、貫通孔３２と凸部１９との間に、インサート３０をヘッド本体１０に固定するための溶接ビード５０が配置されている。溶接ビード５０は、貫通孔３２と凸部１９との間に形成される隙間を埋め、両者の相対的な移動を、摩擦の作用又は機械的な係合によって拘束することができる。溶接ビード５０は、流動性を有する溶融金属が固化したもので、本実施形態では凸部１９を構成している金属材料（即ち、ヘッド本体１０を形成している金属材料）と溶融・一体化している。
【００６４】
溶接ビード５０は、固化前の状態では流動性を有するので、貫通孔３２と凸部１９との間の微小な隙間に十分に浸透し、該隙間を埋めた状態で凸部１９に固着される。従って、本実施形態の溶接ビード５０は、インサート３０と直接的に一体化していなくても、貫通孔３２と凸部１９との隙間を減じ、両者の密着性を高める。これは、例えば、ボール打撃時、ヘッド本体１０に対するインサート３０の振動（即ち、凸部１９の突出方向及び突出方向に対して直角な方向の振動）を効果的に抑制することができる。
【００６５】
溶接ビード５０によるインサート３０の拘束効果を高めるために、本実施形態では、凸部１９の先端側にテーパー部１９ａが形成されている。これにより、テーパー部１９ａと貫通孔３２の内面との間には、ヘッド外面に向かって拡大する隙間（空間）が提供される。このような隙間は、溶接継手のいわゆる開先として利用できる。即ち、上記空間に、溶融金属を十分に満たすことができる。溶融金属は、例えば、凸部１９とは別に溶加材として前記空間に供給されることが望ましい。溶加材は、凸部１９の表面と相互に溶融し、一体化しながら固化する。溶融金属の固化により、凸部１９の外周部分には、溶接ビード５０が形成され、貫通孔３２との密着性が高められる。
【００６６】
好ましい態様では、貫通孔３２は、ヘッド外方に向かって横断面積が増大している。より具体的な態様として、本実施形態の貫通孔３２は、ヘッド外方の開口部からヘッド本体１０側に向かって横断面積が漸減するテーパー部３４を含んでいる。
【００６７】
このような態様によれば、貫通孔３２と凸部１９との間に、ヘッド外方に向かって徐々に拡大する溶接ビード５０を形成するための隙間（空間）を提供できる。流動性を有する溶融金属がこのような隙間に供給されると、溶融金属は、隙間の奥深く（凸部の根元側）までより充填され易くなる。また、上記隙間に形成された溶接ビード５０は、インサート３０の貫通孔３２のテーパー部３４をヘッド外方側から押さえ込むことができる。従って、この態様によれば、ヘッド１の低重心化を効果的に図りつつ、インサート３０の凸部１９の突出方向の移動が機械的に拘束され、インサート３０の振動に起因する異音の発生をより確実に抑制することができる。貫通孔３２のテーパー部３４の態様は、凸部１９のテーパー部１９ａの構成とともに実施されると、より効果的であるが、凸部１９にテーパー部１９ａを形成しない構成において実施されても良い。
【００６８】
図１０に示されるように、好ましい実施形態では、インサート３０のヘッド外方を向く面３１の縁には、第１段差３６及び第２段差３８が形成されている。
【００６９】
本実施形態において、第１段差３６は、インサート３０のトウ側の縁に２つ、及び、ヒール側の縁に一つ、それぞれ設けられている。各第１段差３６は、インサート３０のヘッド外方を向く面３１の縁に、例えば、ステップ状に凹んだ部分として形成されている。
【００７０】
第２段差３８は、インサート３０のヘッド外方を向く面３１のフェース側の縁及びバック側の縁に、例えば、ステップ状に凹んだ部分として形成されている。また、本実施形態の第２段差３８は、インサート３０のトウ・ヒール方向に沿って長くのびている。
【００７１】
図１２には、インサート３０がヘッド本体１０の凹部１８に固定されたヘッド底面図が示されており、ここでは、重量物２０はまだ装着されていない。図１３には、図１２のＩ−Ｉ線断面図が示されている。図１２及び図１３に示されるように、インサート３０の各第１段差３６は、凹部１８に溶接固着された溶接ビード６０で覆われるのが望ましい。
【００７２】
溶接ビード６０は、ヘッド本体１０と溶接可能な溶融金属の固化物からなり、その一部が、凹部１８の周囲壁１８ｂに溶融・一体化している。また、溶接ビード６０の一部は、第１段差３６を覆うように、第１段差３６の中に満たされている。これにより、溶接ビード６０は、インサート３０をヘッド外方から拘束する。詳細は図示していないが、ヒール側に設けられた第１段差３６についても、同様に、溶接ビード６０で覆われている。このような実施形態は、各第１段差３６の空間に溶接ビード６０が入り込むことによって、インサート３０のトウ側及びヒール側でのがたつきや振動をさらに効果的に抑制することができる点で好ましい。
【００７３】
次に、図１１に示されるように、重量物２０は、インサート３０の少なくとも一部をヘッド外方側から覆った状態で凹部１８に固着されている。本実施形態の重量物２０は、インサート３０のヘッド外方側の面３１と少なくとも一部で接する内側面２９を含んでいる。
【００７４】
本実施形態において、重量物２０は、インサート３０の全部を覆うように配置されている。これにより、インサート３０は、ヘッド仕上がり形状の外面に露出することなく凹部１８の中に配置される。また、重量物２０の周縁は、ヘッド本体１０と溶接固着されている。図７において、その溶接ビード４０が示されている。接合強度を高めるために、重量物２０の全周縁が、ヘッド本体１０と溶接されているのが望ましい。
【００７５】
さらに好ましい態様では、インサート３０に設けられた第２段差３８は、重量物２０とヘッド本体１０とを溶接固着している溶接ビード４０の一部で覆われていることが望ましい。即ち、重量物２０とヘッド本体１０とを溶接する際に、流動性を有する溶融金属の一部は、重量物２０とヘッド本体１０（凹部１８の周囲壁１８ｂ）との隙間を通って第２段差３８を満たし、それを覆うように固化する。このような溶接ビード４０は、インサート３０の振動をさらに効果的に防止して、異音の発生を確実に抑制しうる。なお、詳細は図示していないが、インサート３０のバック側の縁に設けられた第２段差３８も、重量物２０とヘッド本体１０とを溶接固着している溶接ビード４０の一部で覆われていることが望ましい。このような態様によれば、インサート３０のフェース側及びバック側の双方の第２段差２８が溶接ビード４０で覆われているので、異音の発生をより確実に抑制することができる。
【００７６】
以上、本発明の実施形態が、種々説明されたが、本発明は、上記の実施形態に限定されるものではなく、種々の態様に変形することができる。特に、異なる実施形態間において、それぞれの特徴部分を互いに置換することや、転用することが可能であることは言うまでもない。
【符号の説明】
【００７７】
１  アイアン型ゴルフクラブヘッド
２  フェース
４  ソール
６  ホーゼル
９  バック部
１０  ヘッド本体
２０  重量物
２１  第１部分
２２  第２部分
Ｔｅ  トレーリングエッジ
Ｆｃ  スコアラインの中央位置
【図１】
2018000471.tif 000003
【図２】
2018000471.tif 000004
【図３】
2018000471.tif 000005
【図４】
2018000471.tif 000006
【図５】
2018000471.tif 000007
【図６】
2018000471.tif 000008
【図７】
2018000471.tif 000009
【図８】
2018000471.tif 000010
【図９】
2018000471.tif 000011
【図１０】
2018000471.tif 000012
【図１１】
2018000471.tif 000013
【図１２】
2018000471.tif 000014
【図１３】
2018000471.tif 000015
【図１４】
2018000471.tif 000016